【事件の表示】
　平成　６年特許願第　　３７３６号「空気調和機の室内ユニット」拒絶査定に対する審判事件［平成　７年　８月１１日出願公開、特開平　７−２０８７５７］について、次のとおり審決する。
【結　論】
　本件審判の請求は、成り立たない。
【理　由】
１．手続の経緯
　本願は、平成６年１月１８日の出願であって、平成１２年８月４日付けで拒絶査定がなされ、これに対し、同年９月１４日付けで審判請求がなされると共に、同年１０月１１日付で手続補正（以下「本件補正」という。）がなされたものである。
　
２．平成１２年１０月１１日付け手続補正についての補正却下の決定
　
［補正却下の結論の決定］
　平成１２年１０月１１日付け手続補正を却下する。
　
［理由］
（１）補正後の本願発明
　本件補正により、特許請求の範囲の欄の記載は、以下のとおり補正された。
「【特許請求の範囲】
【請求項１】
  前面パネルと後板との組立て体から構成するユニット本体であり、このユニット本体内部に一側に駆動モータ、モータ回転軸に連結される横流ファン、横流ファン他端側の軸受けを備えた送風機が配置され、さらにこの送風機の横流ファンを囲むように前面パネルの前部と上部に亘って折曲形成される熱交換器が収容配置され、この熱交換器に対向する前面パネルの前部と上部に吸込み口が設けられ、下部には吹出し口が設けられ、上記吸込み口から吹出し口に通じるユニット本体内に上記熱交換器および横流ファンが配置される通風路を備えた空気調和機の室内ユニットにおいて、
  上記ユニット本体を構成する後板は、内面上部に幅方向に沿って一体に設けられた熱交換器の背面側下端部が配置される後ドレンパンと、この後ドレンパンの両側端部から一体に、それぞれ前方に延出される連結部と、これら連結部の先端相互に亘って一体に架設され上記前面パネルとともに吹出し口が形成され、かつ熱交換器の前面側下端部が配置される前ドレンパンを有し、
　上記両側の連結部により上記送風機の駆動モータと横流ファンの他端側の軸受けをそれぞれ支持する構成を備えたことを特徴とする空気調和機の室内ユニット。」
　
　本件補正前の特許請求の範囲の欄に対する本件補正の内容は以下のとおり。
　
補正事項ａ
　本件補正前の請求項１に記載された発明に対して、請求項１に記載された発明を特定するために必要な事項である「前面パネル」について「下部には吹出し口が設けられ、上記吸込み口から吹出し口に通じるユニット本体内に上記熱交換器および横流ファンが配置される通風路を備えた」との限定を付加し、「前ドレンパン」について「上記前面パネルとともに吹出し口が形成され」との限定を付加した。
　
補正事項ｂ
　補正前の請求項２ないし請求項６を削除する。
　
　上記補正事項ａ、ｂはいずれも出願当初の明細書に記載された事項の範囲内であって、特許法第１７条の２第４項第１号の請求項の削除および同法同条同項第２号の特許請求の範囲の減縮を目的とするものに該当する。
　
　そこで、補正後の請求項１に記載された発明（以下、「本願補正発明１」という。）が本願特許出願の際に独立して特許を受けることができるものであるか（特許法第１７条の２第５項において準用する同法１２６条第４項の規定に適合するか）について以下に検討する。
　
（２）本願出願前に頒布された刊行物
　原審での平成１２年２月３日付けの拒絶理由通知書にて引用された本願出願前に頒布された刊行物である実願平３−６１７４２号（実開平５−８３１１号）のＣＤ−ＲＯＭ（以下「刊行物１」という）には以下のものが記載されている。
「【実施例】
・・・（前略）・・・筐体１は本体２と、この本体２に着脱自在に被せられる前面カバー３とから成り、前面カバー３の正面パネル３ａは上部で開閉自在に軸支されている。また、前面カバー３の上部には室内空気の吸込口４ａ、４ｂが設けられ、前面下部には吹出口５が形成されている。吸込口４ａ、４ｂと吹出口５との間には空気通路６が形成されており、この空気通路６内には前面カバー３の内面に沿わせて本体２寄りまで移動させることのできる着脱自在なエアーフィルタ７と、三分割された熱交換器８と、送風機（クロスフローファン）９とが配置され、熱交換器８により熱交換された空気は送風機９により吹出口５に送られ、室内への風向は風向板１０によって調節されるようになっている。」（【０００６】）
「熱交換器８は水平方向に三分割され、隣接する二つが逆Ｖ字形に形成されたもので、その一つを本体２側に向け、他を前面カバー３側に向けて配置している。送風機９は逆Ｖ字形に形成された熱交換器８の下部中央に設けている。・・・（以下略）・・・」（【０００７】）
「図中、１１および１２はそれぞれ熱交換器８に沿って流下する結露水を受けるための露受け溝であるが、前面カバー３寄りの露受け溝１１は結露水を受けるだけのものではなく破線で表しているように空気通路６の壁の一部にも成っている。」（【０００８】）
（３）対比
　刊行物１に記載された「筺体１」、「送風機（クロスフローファン）９」、「熱交換器８」、「吸込口４ａ」、「吸込口４ｂ」、「吹出口５」、「空気通路６」、「露受け溝１１」、「露受け溝１２」は、本願補正発明１の、「ユニット本体」、「横流ファン」、「熱交換器」、「（前面パネルの前部に設けられた）吸込み口」、「（前面パネルの上部に設けられた）吸込み口」、「吹出し口」、「通風路」、「前ドレンパン」、「後ドレンパン」に、それぞれ相当する。すると本願補正発明１と刊行物１に記載されたものとは、以下の点で一致し、そして相違する。
　
［一致点］
　両者は、
「ユニット本体内部に横流ファンが配置され、さらにこの横流ファンを囲むように前面パネルの前部と上部に亘って折曲形成される熱交換器が収容配置された空気調和機の室内ユニットにおいて、
  上記熱交換器の背面側下端部が配置される後ドレンパンと、前面パネルとともに吹出し口が形成され、かつ熱交換器の前面側下端部が配置される前ドレンパンを有する空気調和機の室内ユニット。」である点で一致する。
　
［相違点］
相違点ａ．
　本願補正発明１は、「ユニット本体」を「前部と上部に吸込み口」が設けられた「前面パネル」が含まれる組み立て体として構成したのに対して、刊行物１には「前面パネル」に相当する構成が記載されていない点。
　
相違点ｂ．
　本願補正発明１は、後板と一体に前方に延出された「送風機の駆動モータと横流ファンの他端側の軸受けをそれぞれ支持する連結部」によって送風機をユニット本体内部に配置しているのに対して、刊行物１には「送風機（クロスフローファン）９」の室内ユニット内部への配置のための構成が記載されていない点。
　
相違点ｃ．
　本願補正発明１は、後ドレンパンと前ドレンパンを、「後ドレンパンの両側端部から一体に、それぞれ前方に延出される連結部と、これら連結部の先端相互に亘って一体に架設され上記前面パネルとともに吹出し口が形成され、かつ熱交換器の前面側下端部が配置される前ドレンパン」となるよう構成したのに対して、刊行物１には、露受け溝１１が露受け溝１２やその他の部材と一体に成形されている点につき記載されていない点。
　
（４）本願補正発明１に対する判断
（４−１）相違点ａについて
　空気調和機の室内ユニット本体を、室内ユニット本体内部に収容配置された熱交換器へ流入する空気のための吸込み口が設けられた「前面パネル」との組み立て体として構成することは本願出願前に広く行われていることである（例えば特開平４−１０６３２８号公報、実願平２−１３４４９号（実開平３−１０３９１７号）のマイクロフィルム）。よって、当業者が引用例１【図２】に記載された本体前部と上部より空気が流入する空気調和機の室内ユニットに対して、前部と上部に吸込み口を設けた「前面パネル」を設置して本願発明１とすることは、単なる慣用手段の付加にすぎない。
　
（４−２）相違点ｂについて
　空気調和機の室内ユニットにおいて、横流ファンによる送風機の駆動モータと横流ファンの他端側の軸受けをそれぞれ支持する連結部によってユニット本体内部へ配置し、かつ上記連結部は室内ユニットを構成する後板と一体に前方へ延出するようにすることは、単なる慣用手段の付加に過ぎない（例えば実願昭６３−９１３５６号（実開平２−１３９１５号）のマイクロフィルム、特開平１−２３０９３７号公報）。
　
（４−３）相違点ｃについて
　従来複数の部品から組み立てられていた物品を製造するにあたり、部品点数の削減、製造工程の簡易化、組立時間の短縮等の目的のために、いくつかの部品を一体成形にて相互に連結された一つの部品として構成することは、本願補正発明１が属する技術分野である空気調和機を含め様々な技術分野において慣用される手段である（例えば、空気調和機の技術分野においては、実公昭５７−３５７７１号公報を参照されたい）。よって、本願補正発明１が、「前ドレンパン」と「後ドレンパン」やその他の部材と一体に形成することは単なる慣用手段の付加に過ぎない。
　なお、審判請求人は平成１２年４月７日付けで提出された手続補正書にて、【作用】の欄を以下のとおり補正した。
「【００２０】
【作用】
　後板に別個のドレンパン等を取付ける必要がなくなって取付け具などの部品点数の削減を得られ、両側の連結部に送風機の両側部分を支持して取付け位置を後板の所定位置に収められ、熱交換器の背面側下端部を後ドレンパンに、かつ前面側下端部を前ドレンパンに配置したので、各構成部品の取付け位置にバラツキが全くない。」
　しかし、構成部品を一体成形すれば対象となる部品相互の相対的な位置関係は通常固定されるから、かかる作用は当業者にとって自明なものであるに過ぎない。
　
（５）本願補正発明１の独立特許要件について
　以上にとおりであるから、本願補正発明１は、刊行物１に記載されたものおよび慣用手段に基づいて、当業者が容易に発明することができたものであるから特許法第２９条第２項の規定により特許を受けることができない。
　
（６）むすび
　本願補正発明は、前述のとおり、特許法第２９条第２項の規定により、本願特許出願の際に独立して特許を受けることができないものであるから、本件補正は、同法第１７条の２第５項で準用する同法第１２６条第４項の規定に違反するものであるから、同法第１５９条第１項の規定により読み替えて準用する同法第５３条第１項の規定により却下されるべきものである。
　
３．本願発明について
　平成１２年１０月１１日付けの手続補正は上記の通り却下されたので、本願の請求項１〜請求項６にかかる発明は（以下それぞれ「本願発明１」〜「本願発明６」という。）、平成１２年４月７日付け手続補正書にて補正された【特許請求の範囲】の欄の【請求項１】〜【請求項６】にそれぞれ記載された以下のとおりのものである。
「【請求項１】
　前面パネルと後板との組立て体から構成するユニット本体であり、このユニット本体内部に一側に駆動モータ、モータ回転軸に連結される横流ファン、横流ファン他端側の軸受けを備えた送風機およびこの送風機の横流ファンを囲むように前面パネルの前部と上部に亘って折曲形成される熱交換器が収容配置され、この熱交換器に対向する前面パネルの前部と上部に吸込み口を備えた空気調和機の室内ユニットにおいて、
　上記ユニット本体を構成する後板は、内面上部に幅方向に沿って一体に設けられた熱交換器の背面側下端部が配置される後ドレンパンと、両側端部にそれぞれ前方へ延出して一体に設けた連結部と、前方に両側の連結部の先端相互に亘って一体に架設され熱交換器の前面側下端部が配置される前ドレンパンを有し、上記両側の連結部により上記送風機の駆動モータと横流ファンの他端側の軸受けをそれぞれ支持する構成を備えたことを特徴とする空気調和機の室内ユニット。
【請求項２】
　上記ユニット本体を構成する後板は、上記前ドレンパンとを連結する連結部に、後ドレンパンで補集したドレン水を前ドレンパンに導くドレン樋が設けられることを特徴とする請求項１記載の空気調和機の室内ユニット。
【請求項３】
　上記ドレン樋は、ユニット本体を構成する後板の連結部相互間の横流ファンに沿って湾曲した断面形状の通風路構成部で構成される吹出し口通風路側に一体に設けられることを特徴とする請求項２記載の空気調和機の室内ユニット。
【請求項４】
　上記ドレン樋近傍の吹出し口通風路構成部側には、上記送風機のファン形状に沿って曲成されるリブが設けられることを特徴とする請求項３記載の空気調和機の室内ユニット。
【請求項５】
　上記ユニット本体を構成する後板の上記前ドレンパンとを連結する連結部には、上記熱交換器を支持する支持部が形成されることを特徴とする請求項１記載の空気調和機の室内ユニット。
【請求項６】
　上記前ドレンパンに、上記送風機から吹出される熱交換空気を案内するノーズ部が一体に設けられることを特徴とする請求項１記載の空気調和機の室内ユニット。」
　
（１）本願出願前に頒布された刊行物
　前記刊行物１には、前記「２．（２）」に記載したとおりの事項が記載されている。
　
（２）対比・判断
　本願発明１について
　本願発明１は、前記「２．」で検討した本願補正発明１から、「前面パネル」の限定事項である「下部には吹出し口が設けられ、上記吸込み口から吹出し口に通じるユニット本体内に上記熱交換器および横流ファンが配置される通風路を備えた」との構成を省き、「前ドレンパン」の限定事項である「上記前面パネルとともに吹出し口が形成され」との構成を省いたものである。
　そうすると、本願発明１の構成要件を全て含み、さらに多の構成要件を付加したものに相当する上記本願補正発明１が、前記「２．（４）」、「２．（５）」に記載したとおり、刊行物１に記載された事項に基づいて、当業者が容易に発明できたものであるから、本願発明１も、同様な理由により、刊行物１に記載された事項に基づいて、当業者が容易に発明することができたものである。
（３）むすび
　以上のとおり、本願発明１は、刊行物１に記載された事項および本願出願前周知の事項に基づいて、当業者ように発明をすることができたものであるから、特許法第２９条第２項の規定により特許を受けることができない。
　したがって、本願発明２〜６につき検討を行うまでもなく、本願は原査定の拒絶の理由によって拒絶すべきものである。
　よって、結論のとおり審決する。